(57)【要約】【課題】樹脂の無駄やこれによる重量の増加を抑えることにより軽量化を図った、高圧トランス装置および電子機器を提供する。【解決手段】１次巻線３と２次巻線４との間に仕切り壁５を有するとともに、高圧トランス本体７を収納するケース８を備える。この構造により、２次巻線４のみが樹脂により絶縁モールドされ、１次巻線３と２次巻線４との間の仕切り壁５の端部とケースの一部とが係合して、非硬化状態の樹脂の漏出を防止する。【選択図】図１
2009141065.tif 000002
【特許請求の範囲】
【請求項１】
巻線ボビンの異なるスリットのそれぞれに、低電圧側である１次巻線と高電圧側である２次巻線とが巻線され、前記１次巻線と前記２次巻線との間に仕切り壁を有するとともに、前記巻線ボビンの中にコアが挿入された高圧トランス本体と、
前記高圧トランス本体を収納するケースとを備え、
前記２次巻線が巻線された前記スリットのみに樹脂が充填されることにより、前記２次巻線のみが絶縁モールドされ、前記１次巻線と前記２次巻線との間の仕切り壁の端部と前記ケースの一部とが係合することにより、非硬化状態の樹脂の漏出を防止する係合部を構成した、高圧トランス装置。
【請求項２】
前記仕切り壁の端部は、前記巻線の最外周より半径方向外側に凸状に張り出す形状とし、前記仕切り壁の端部に係合される前記ケースの一部は凹形状である、請求項１に記載の高圧トランス装置。
【請求項３】
前記仕切り壁の端部は凹形状を有し、かつ、前記巻線の最外周より半径方向外側に張り出す形状とし、前記仕切り壁の端部に係合される前記ケースの一部は凸形状である、請求項１に記載の高圧トランス装置。
【請求項４】
前記巻線ボビンが一体成形により形成されている、請求項１から３のいずれかに記載の高圧トランス装置。
【請求項５】
請求項１〜４のいずれかに記載の高圧トランス装置を含む、電子機器。
【請求項６】
前記高圧トランス本体の前記１次巻線側に回路基板が接続され、前記２次巻線側に作動素子が接続された、請求項５に記載の電子機器。
【発明の詳細な説明】
【技術分野】
【０００１】
本発明は放電などに必要とされる高圧電源のための高圧トランス装置およびこの高圧トランス装置を含むイオン発生装置などの電子機器に関するものである。
【背景技術】
【０００２】
居住空間の高気密化に伴い、清潔で快適な居住空間を実現するための技術、特に、居住空間内の空気を清浄化する商品の需要が拡大している。このような空気の清浄化には、従来は対象となる空間内の空気を吸い込み、空気中に存在する浮遊物をフィルタにて除去する空気清浄機が普及していた。
【０００３】
近年、イオン発生装置により、プラスイオンおよびマイナスイオンを発生させ空間内に放出し、空間内の浮遊粒子を不活性化することで清浄化すると共に、浮遊細菌を殺菌する効果のある空気清浄機の需要が増加している。このような空気清浄機にはイオン発生装置が搭載されている。
【０００４】
従来のイオン発生装置とこのイオン発生装置に使われる従来の高圧トランス装置について、図３および図４により説明する。図３は従来の高圧トランス装置の斜視図、図４は同装置を含むイオン発生装置の断面図である。図４において、イオン発生装置１００はＤＣ１２ＶやＡＣ１００Ｖ等の電力の供給を空気清浄機などの本体から受け、この電源を回路基板１０２と高圧トランス１０３とからなる高圧発生装置で昇圧し、昇圧された高圧（例えば３ＫＶ）をイオン発生素子１０４に印加して、このイオン発生素子１０４の放電によりイオンを放出する構成となっている。高圧トランス１０３の２次巻線１０５は高圧側となるが、高圧トランス１０３内での放電を防止する目的でエポキシ樹脂１０６などをケース１０７内に流し込んで硬化させて、絶縁を行っている。
【０００５】
上述のように、１次巻線および２次巻線を内部に配設したケースに樹脂を充填して相互の絶縁を図った従来の高圧トランスを開示する先行文献として、たとえば、下記の特許文献１および２が挙げられる。
【特許文献１】特開平６−２３１９７９号公報
【特許文献２】特開平６−２４４０３３号公報
【発明の開示】
【発明が解決しようとする課題】
【０００６】
しかしながら、従来技術で示したケース内の高圧トランス収納部全体を樹脂絶縁モールドする方法では、低電圧であり絶縁モールドの必要のない１次巻線１０８も含めて絶縁モールドされており、樹脂の無駄や重量の増加となるという問題がある。
【０００７】
本発明は、このような従来の問題点を解消するためになされたものであり、従来問題となっていた絶縁モールド樹脂の無駄や、これによる重量の増加を抑えることが可能で、軽量化が図れる高圧トランス装置、およびそのような高圧トランス装置を含む電子機器を提供することを目的とする。
【課題を解決するための手段】
【０００８】
このような課題を解決するための本発明の高圧トランス装置は、巻線ボビンの異なるスリットのそれぞれに、低電圧側である１次巻線と高電圧側である２次巻線とが巻線され、１次巻線と２次巻線との間に仕切り壁を有するとともに、巻線ボビンの中にコアが挿入された高圧トランス本体と、高圧トランス本体を収納するケースとを備える。この高圧トランスにおいては、２次巻線のみが樹脂により絶縁モールドされ、１次巻線と２次巻線との間の仕切り壁の端部とケースの一部とが係合して、非硬化状態の樹脂の漏出を防止する係合部を構成した構成を有する。
【０００９】
なお、仕切り壁の端部は凸形状で巻線の最外周より半径方向外側に張り出す形状とし、仕切り壁の端部に係合されるケースの一部は凹形状であり、また逆に、仕切り壁の端部は凹形状で巻線の最外周より半径方向外側に張り出す形状とし、仕切り壁の端部に係合されるケースの一部は凸形状である構成も採り得るものである。
【００１０】
本発明には、上記の高圧トランス装置を含む電子機器が含まれる。この電子機器の一実施形態においては、高圧トランス本体の１次巻線側に回路基板が接続され、２次巻線側に作動素子が接続されている。
【発明の効果】
【００１１】
本発明においては、上述のように、１次巻線と２次巻線との間に仕切り壁を有するとともに、２次巻線のみが樹脂により絶縁モールドされ、１次巻線と２次巻線との間の仕切り壁の端部と前記ケースの一部とが係合して非硬化状態の樹脂の漏出を防止する係合部を構成したため、係合部により１次巻線と２次巻線が分離され、２次巻線部に注入した絶縁樹脂が１次側へ流れ込むことがないので、絶縁性能を低下させることなく、絶縁モールド用の樹脂の量を減らすことが可能となり、製品の軽量化が図れる。
【発明を実施するための最良の形態】
【００１２】
本発明の一実施の形態である高圧トランスおよび電子機器については、図１および図２により説明する。図１は本発明の一実施の形態である高圧トランス装置の斜視図、図２は同高圧トランス装置を含むイオン発生装置の断面図である。
【００１３】
本発明の一実施の形態である高圧トランス装置１においては、図１に示すように、巻線ボビン２のスリット２ａ、２ｂのそれぞれには、低電圧側である１次巻線３と高電圧側である２次巻線４とが巻線され、１次巻線３と２次巻線４との間に仕切り壁５が設けられているとともに、巻線ボビン２の中にはコア６が挿入され高圧トランス本体７が構成されている。高圧トランス本体７はケース８に収納されている。そして、２次巻線４のみが樹脂９により絶縁モールドされている。１次巻線３と２次巻線４との間の仕切り壁５の端部５ａは凸形状となっており、ケース８の対応する一部は凹形状８ａとなっている。この凸形状５ａと凹形状８ａが係合することにより、非硬化状態の樹脂９の漏出を防止する係合部を構成している。
【００１４】
なお、仕切り壁５の端部は凸形状５ａで各巻線３，４の最外周より半径方向外側に張り出す形状となっている。本実施の形態では、仕切り壁５の端部５ａに係合されるケース８の一部は凹形状８ａとなっているが、逆に、仕切り壁５の端部５ａを凹形状とし、仕切り壁５の端部５ａに係合されるケース８の一部の形状を凸形状とする構成も採り得るものである。
【００１５】
図２において、イオン発生装置１０は高圧トランス装置１を含む構成を有しており、高圧トランス本体７の１次巻線３に回路基板１１が接続され、２次巻線４に作動素子としてのイオン発生素子１２が配線１３により接続されている。１４は機器のカバーでありイオン発生素子１２を支持している。イオン発生装置１０はＤＣ１２ＶやＡＣ１００Ｖ等の電力の供給を受け、２次巻線４側で得た高圧によるイオン発生素子１２の放電によりイオンが発生するよう構成されている。
【００１６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００１７】
本発明によれば、絶縁性能を低下させることなく、絶縁モールド用の樹脂の量を減らすことが可能な高圧トランスが得られるので、高圧への電圧変更が必要なイオン発生装置や、空気清浄機等の分野に広く利用可能である。
【図面の簡単な説明】
【００１８】
【図１】本発明の一実施の形態である高圧トランス装置の斜視図である。
【図２】同高圧トランス装置を含むイオン発生装置の断面図である。
【図３】従来の高圧トランス装置の斜視図である。
【図４】従来の高圧トランス装置を含むイオン発生装置の断面図である。
【符号の説明】
【００１９】
１  高圧トランス装置、２  巻線ボビン、３  １次巻線、４  ２次巻線、５  仕切り壁、６  コア、７  高圧トランス本体、８  ケース、９  樹脂（絶縁モールド）、１０  イオン発生装置、１１  回路基板、１２  イオン発生素子。
【図１】
2009141065.tif 000003
【図２】
2009141065.tif 000004
【図３】
2009141065.tif 000005
【図４】
2009141065.tif 000006